(57)【特許請求の範囲】
【請求項１】
ＬＭＭＳＥ（Ｌｉｎｅａｒ  Ｍｉｎｉｍｕｍ  Ｓｑｕａｒｅ  Ｅｒｒｏｒ）受信装置とＲＡＫＥ受信装置との２つの受信装置を備え、前記２つの受信装置のうちのいずれかに切り替えて受信を行う制御手段を含む受信装置であって、
前記制御手段は受信したマルチパスが前記ＬＭＭＳＥ受信装置の時間窓範囲に入っているか否かを判定する判定手段と、
前記時間窓範囲に入っていない場合に、前記ＬＭＭＳＥ受信装置の時間窓範囲と等しい時間範囲を有する複数の異なる時間窓を夫々時間軸上でずらせて設定し、夫々の時間窓における複数パスの合計電力を計算する計算手段と、
前記計算手段における計算結果に基づいて前記ＬＭＭＳＥ受信装置とＲＡＫＥ受信装置とのいずれかに切り替える切り替え手段を含むことを特徴とする受信装置。
【請求項２】
前記計算手段は前記合計電力の最も大きい時間窓を選択する手段を含み、
前記切り替え手段は前記選択された時間窓の合計電力と全てのパスの合計電力とを比較し、前記選択された時間窓の合計電力が前記全てのパスの合計電力以下の場合は前記ＲＡＫＥ受信装置に切り替えることを特徴とする請求項１記載の受信装置。
【請求項３】
前記計算手段は前記合計電力の最も大きい時間窓を選択する手段を含み、
前記切り替え手段は前記選択された時間窓の合計電力と全てのパスの合計電力とを比較し、前記選択された時間窓の合計電力が前記全てのパスの合計電力を超える場合はパイロットＳＮＲと所定閾値とを比較し、パイロットＳＮＲが所定閾値未満の場合は前記ＲＡＫＥ受信装置に切り替え、パイロットＳＮＲが所定閾値以上の場合はＣＥ受信装置に切り替えることを特徴とする請求項１または２記載の受信装置。
【請求項４】
前記制御手段は受信したマルチパスが前記時間窓範囲に入っている場合に、１パスしか存在しないかどうかを調べ、１パスしか存在しない場合は前記ＲＡＫＥ受信装置に切り替えることを特徴とする請求項１記載の受信装置。
【請求項５】
前記制御手段は受信したマルチパスが前記時間窓範囲に入っている場合に、1パスしか存在しないかどうかを調べ、2パス以上存在する場合はパイロットＳＮＲと所定閾値とを比較し、パイロットＳＮＲが所定閾値未満の場合は前記ＲＡＫＥ受信装置に切り替え、パイロットＳＮＲが所定閾値以上の場合はＣＥ受信装置に切り替えることを特徴とする請求項１または４記載の受信装置。
【請求項６】
ＬＭＭＳＥ（Ｌｉｎｅａｒ  Ｍｉｎｉｍｕｍ  Ｓｑｕａｒｅ  Ｅｒｒｏｒ）受信装置とＲＡＫＥ受信装置との２つの受信装置を備え、前記２つの受信装置のうちのいずれかに切り替えて受信を行う制御ステップを含む受信装置における受信方法であって、
前記制御ステップは受信したマルチパスが前記ＬＭＭＳＥ受信装置の時間窓範囲に入っているか否かを判定する判定ステップと、
前記時間窓範囲に入っていない場合に、前記ＬＭＭＳＥ受信装置の時間窓範囲と等しい時間範囲を有する複数の異なる時間窓を夫々時間軸上でずらせて設定し、夫々の時間窓における複数パスの合計電力を計算する計算ステップと、
前記計算ステップにおける計算結果に基づいて前記ＬＭＭＳＥ受信装置とＲＡＫＥ受信装置とのいずれかに切り替える切り替えステップを含むことを特徴とする受信方法。
【請求項７】
前記計算ステップは前記合計電力の最も大きい時間窓を選択するステップを含み、
前記切り替えステップは前記選択された時間窓の合計電力と全てのパスの合計電力とを比較し、前記選択された時間窓の合計電力が前記全てのパスの合計電力以下の場合は前記ＲＡＫＥ受信装置に切り替えることを特徴とする請求項６記載の受信方法。
【請求項８】
前記計算ステップは前記合計電力の最も大きい時間窓を選択するステップを含み、
前記切り替えステップは前記選択された時間窓の合計電力と全てのパスの合計電力とを比較し、前記選択された時間窓の合計電力が前記全てのパスの合計電力を超える場合はパイロットＳＮＲと所定閾値とを比較し、パイロットＳＮＲが所定閾値未満の場合は前記ＲＡＫＥ受信装置に切り替え、パイロットＳＮＲが所定閾値以上の場合はＣＥ受信装置に切り替えることを特徴とする請求項６または７記載の受信方法。
【請求項９】
前記制御ステップは受信したマルチパスが前記時間窓範囲に入っている場合に、１パスしか存在しないかどうかを調べ、１パスしか存在しない場合は前記ＲＡＫＥ受信装置に切り替えることを特徴とする請求項６記載の受信方法。
【請求項１０】
前記制御ステップは受信したマルチパスが前記時間窓範囲に入っている場合に、1パスしか存在しないかどうかを調べ、2パス以上存在する場合はパイロットＳＮＲと所定閾値とを比較し、パイロットＳＮＲが所定閾値未満の場合は前記ＲＡＫＥ受信装置に切り替え、パイロットＳＮＲが所定閾値以上の場合はＣＥ受信装置に切り替えることを特徴とする請求項６または９記載の受信方法。
【請求項１１】
ＬＭＭＳＥ（Ｌｉｎｅａｒ  Ｍｉｎｉｍｕｍ  Ｓｑｕａｒｅ  Ｅｒｒｏｒ）受信装置とＲＡＫＥ受信装置との２つの受信装置を備え、前記２つの受信装置のうちのいずれかに切り替えて受信を行う受信方法を実行するための制御プログラムであって、
コンピュータに、受信したマルチパスが前記ＬＭＭＳＥ受信装置の時間窓範囲に入っているか否かを判定する判定ステップと、
前記時間窓範囲に入っていない場合に、前記ＬＭＭＳＥ受信装置の時間窓範囲と等しい時間範囲を有する複数の異なる時間窓を夫々時間軸上でずらせて設定し、夫々の時間窓における複数パスの合計電力を計算する計算ステップと、
前記計算ステップにおける計算結果に基づいて前記ＬＭＭＳＥ受信装置とＲＡＫＥ受信装置とのいずれかに切り替える切り替えステップとを実行させるための制御プログラム。
【請求項１２】
前記計算ステップは前記合計電力の最も大きい時間窓を選択するステップを含み、
前記切り替えステップは前記選択された時間窓の合計電力と全てのパスの合計電力とを比較し、前記選択された時間窓の合計電力が前記全てのパスの合計電力以下の場合は前記ＲＡＫＥ受信装置に切り替えることを特徴とする請求項１１記載の制御プログラム。
【請求項１３】
前記計算ステップは前記合計電力の最も大きい時間窓を選択するステップを含み、
前記切り替えステップは前記選択された時間窓の合計電力と全てのパスの合計電力とを比較し、前記選択された時間窓の合計電力が前記全てのパスの合計電力を超える場合はパイロットＳＮＲと所定閾値とを比較し、パイロットＳＮＲが所定閾値未満の場合は前記ＲＡＫＥ受信装置に切り替え、パイロットＳＮＲが所定閾値以上の場合はＣＥ受信装置に切り替えることを特徴とする請求項１１または１２記載の制御プログラム。
【請求項１４】
前記制御ステップは受信したマルチパスが前記時間窓範囲に入っている場合に、１パスしか存在しないかどうかを調べ、１パスしか存在しない場合は前記ＲＡＫＥ受信装置に切り替えることを特徴とする請求項１１記載の制御プログラム。
【請求項１５】
前記制御ステップは受信したマルチパスが前記時間窓範囲に入っている場合に、1パスしか存在しないかどうかを調べ、2パス以上存在する場合はパイロットＳＮＲと所定閾値とを比較し、パイロットＳＮＲが所定閾値未満の場合は前記ＲＡＫＥ受信装置に切り替え、パイロットＳＮＲが所定閾値以上の場合はＣＥ受信装置に切り替えることを特徴とする請求項１１または１４記載の制御プログラム。
【発明の詳細な説明】
【技術分野】
【０００１】
本発明は、受信装置およびその受信方法ならびに制御プログラムに関し、特にＷＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムにおいて、最適動作を実現させるためのＬＭＭＳＥ（Ｌｉｎｅａｒ  Ｍｉｎｉｍｕｍ  Ｓｑｕａｒｅ  Ｅｒｒｏｒ：線形最小自乗平均誤差）受信機の制御方法に関する。
【背景技術】
【０００２】
ＷＣＤＭＡシステムにおいて、ＬＭＭＳＥ受信装置はマルチパスチャネル状態（多くのパスが存在する状態）および高ＳＮＲ（Ｓｉｇｎａｌ  ｔｏ  Ｎｏｉｓｅ  ｐｏｗｅｒ  Ｒａｔｉｏ）の受信状態において、従来のレイク（以下、“ＲＡＫＥ”と表示する）受信装置よりも高いパフォーマンス・ゲインが得られることが知られている。
【０００３】
その反面、ＬＭＭＳＥ受信装置はパスの数が少ない状態（たとえば、１パスしか存在しない状態）、および低ＳＮＲではその性能を十分発揮することができず、ＲＡＫＥ受信装置よりもパフォーマンス・ゲインが低くなることも知られている。
【０００４】
また、ＬＭＭＳＥ受信装置において回路の複雑化および大型化が許容されるのであれば、広範囲な遅延時間範囲（ｄｅｌａｙ  ｓｐｒｅａｄ）に存在するパスに対応させことが可能である。しかし、現実のＬＭＭＳＥ受信装置では回路の複雑化および大型化を回避するために限定された遅延時間範囲に存在するパスにしか対応させていない。したがって、限定された遅延時間範囲を超えるパスについては、むしろＲＡＫＥ受信装置を用いた方が好ましい。
【０００５】
そこで、あらゆる受信状態の下で最適に動作する受信装置、すなわちＬＭＭＳＥとＲＡＫＥの２つのモードを備え、受信状態に応じて適切にモード切り替えが可能な受信装置が望まれる。
【０００６】
一方、この種の従来技術の一例として、伝播路環境がマルチパスの場合はアダプティブ信号処理を行い、他の伝播路環境の場合は選択ダイバーシティ信号処理を行う受信装置が開示されている（たとえば、特許文献１参照）。
【０００７】
また、他の一例として、入力されたベースバンド信号に対し適応等化器による波形等化処理を行うＲＡＫＥ受信機が開示されている（たとえば、特許文献２参照）。
【０００８】
また、他の一例として、肥大フィンガー割当ておよびＲＡＫＥフィンガー割当てを用いた受信機が開示されている（たとえば、特許文献３参照）。
【０００９】
【特許文献１】特開２００２−２３２３８５号公報（段落００１１，００３７、図２）
【特許文献２】特開２００３−２４４０２７号公報（段落００１５、図１）
【特許文献３】特表２００５−５１８１３２号公報（要約）
【発明の開示】
【発明が解決しようとする課題】
【００１０】
しかし、上記いずれの特許文献にも従来のＬＭＭＳＥ受信装置が対応しきれない広い遅延時間範囲に存在するパスに対して適用が可能なＬＭＭＳＥ受信装置は開示されていない。
【００１１】
そこで本発明の目的は、ＬＭＭＳＥ受信装置とＲＡＫＥ受信装置との２つの受信装置を備えた受信装置であって、ＬＭＭＳＥ受信装置の遅延時間範囲を超えるパスに対しても、回路を複雑化および大型化させることなく、対応が可能な受信装置およびその受信方法ならびに制御プログラムを提供することにある。
【課題を解決するための手段】
【００１２】
前記課題を解決するために、本発明による受信装置は、ＬＭＭＳＥ（Ｌｉｎｅａｒ  Ｍｉｎｉｍｕｍ  Ｓｑｕａｒｅ  Ｅｒｒｏｒ）受信装置とＲＡＫＥ受信装置との２つの受信装置を備え、前記２つの受信装置のうちのいずれかに切り替えて受信を行う制御手段を含む受信装置であって、前記制御手段は受信したマルチパスが前記ＬＭＭＳＥ受信装置の時間窓範囲に入っているか否かを判定する判定手段と、前記時間窓範囲に入っていない場合に、前記ＬＭＭＳＥ受信装置の時間窓範囲と等しい時間範囲を有する複数の異なる時間窓を夫々時間軸上でずらせて設定し、夫々の時間窓における複数パスの合計電力を計算する計算手段と、前記計算手段における計算結果に基づいて前記ＬＭＭＳＥ受信装置とＲＡＫＥ受信装置とのいずれかに切り替える切り替え手段を含むことを特徴とする。
【００１３】
また、本発明による受信方法は、ＬＭＭＳＥ（Ｌｉｎｅａｒ  Ｍｉｎｉｍｕｍ  Ｓｑｕａｒｅ  Ｅｒｒｏｒ）受信装置とＲＡＫＥ受信装置との２つの受信装置を備え、前記２つの受信装置のうちのいずれかに切り替えて受信を行う制御ステップを含む受信装置における受信方法であって、前記制御ステップは受信したマルチパスが前記ＬＭＭＳＥ受信装置の時間窓範囲に入っているか否かを判定する判定ステップと、前記時間窓範囲に入っていない場合に、前記ＬＭＭＳＥ受信装置の時間窓範囲と等しい時間範囲を有する複数の異なる時間窓を夫々時間軸上でずらせて設定し、夫々の時間窓における複数パスの合計電力を計算する計算ステップと、前記計算ステップにおける計算結果に基づいて前記ＬＭＭＳＥ受信装置とＲＡＫＥ受信装置とのいずれかに切り替える切り替えステップを含むことを特徴とする。
【００１４】
また、本発明による制御プログラムは、ＬＭＭＳＥ（Ｌｉｎｅａｒ  Ｍｉｎｉｍｕｍ  Ｓｑｕａｒｅ  Ｅｒｒｏｒ）受信装置とＲＡＫＥ受信装置との２つの受信装置を備え、前記２つの受信装置のうちのいずれかに切り替えて受信を行う受信方法を実行するための制御プログラムであって、コンピュータに、受信したマルチパスが前記ＬＭＭＳＥ受信装置の時間窓範囲に入っているか否かを判定する判定ステップと、前記時間窓範囲に入っていない場合に、前記ＬＭＭＳＥ受信装置の時間窓範囲と等しい時間範囲を有する複数の異なる時間窓を夫々時間軸上でずらせて設定し、夫々の時間窓における複数パスの合計電力を計算する計算ステップと、前記計算ステップにおける計算結果に基づいて前記ＬＭＭＳＥ受信装置とＲＡＫＥ受信装置とのいずれかに切り替える切り替えステップとを実行させることを特徴とする。
【発明の効果】
【００１５】
本発明によれば、上記構成を含むことにより、ＬＭＭＳＥ受信装置の遅延時間範囲を超えるパスに対しても、回路を複雑化および大型化させることなく、対応が可能な受信装置およびその受信方法ならびに制御プログラムが得られる。
【発明を実施するための最良の形態】
【００１６】
以下、本発明の実施例について添付図面を参照しながら説明する。なお、以下の実施例では、ＣＥ（ｔｉｍｅ  ｄｏｍａｉｎ  ｅｑｕｑｌｉｚｅｒ：時間領域等化回路）のＬＭＭＳＥ受信装置について説明するが、他のＬＭＭＳＥ受信装置、一例としてｆｒｅｑｕｅｎｃｙ  ｄｏｍａｉｎ  ｅｑｕｑｌｉｚｅｒ（周波数領域等価回路）のＬＭＭＳＥ受信装置に本発明の適用が可能である。
【００１７】
図１は本発明に係る受信装置の一例の構成図である。同図に示す受信装置はある場合にはＣＥのＬＭＭＳＥ受信装置（以下、ＣＥ受信装置と表示する）として、他の場合にはＲＡＫＥ受信装置として動作する。
【００１８】
図１を参照すると、本発明に係る受信装置の一例は、マルチパス逆拡散部１と、重み付け計算部２と、ＦＩＲ（Ｆｉｎｉｔｅ  Ｉｍｐｕｌｓｅ  Ｒｅｓｐｏｎｓｅ）フィルタ３と、マルチコード逆拡散部４と、ＴＸ（送信）ダイバシティ・プロセッサ５と、入力サンプリングバッファ（以下、「バッファ」と表示する）６と、ＤＳＰ（Ｄｉｇｉｔａｌ  Ｓｉｇｎａｌ  Ｐｒｏｃｅｓｓｏｒ）コントローラ７と、メモリ８とを含んで構成される。
【００１９】
入力信号１１はマルチパス逆拡散部１、重み付け計算部２、ＦＩＲフィルタ３、マルチコード逆拡散部４を介してＴＸダイバシティ・プロセッサ５へ入力され、ＴＸダイバシティ・プロセッサ５で所定の処理を行った後、出力信号１２として出力される。
【００２０】
一方、入力信号１１はバッファ６を介してＦＩＲフィルタ３にも出力される。
【００２１】
ＤＳＰコントローラ７はコントロール・インタフェース１３と接続されており、マルチパス逆拡散部１、重み付け計算部２、ＦＩＲフィルタ３、マルチコード逆拡散部４、ＴＸダイバシティ・プロセッサ５およびバッファ６を制御する。
【００２２】
メモリ８には後述する受信方法の制御プログラムが格納されており、ＤＳＰコントローラ７はこのメモリ８からその制御プログラムを読み出し、その制御プログラムに基づいて上記各部を制御する。
【００２３】
入力信号１１は通常４倍チップレートのＩ／Ｑサンプルである。出力信号１２はさらに後段の処理に用いる異なる物理チャネルのデータシンボルである。コントロール・インタフェース１３はパスタイミングとその他の制御情報をＤＳＰコントローラ７に供給する。
【００２４】
次に、この受信装置のＣＥ受信装置としての動作の一例を次に示す。
【００２５】
マルチパス逆拡散部１は入力信号１１を入力し、異なるパスタイミングでパイロット信号の逆拡散を行う。その逆拡散された信号はそれぞれのパスのチャネル評価（ｃｈａｎｎｅｌ  ｅｓｔｉｍａｔｉｏｎ）に用いることが可能である。
重み付け計算部２はチャネル評価の重み付けベクターの計算（ｃｈａｎｎｅｌ  ｅｓｔｉｍａｔｉｏｎ  ｗｅｉｇｈｔ  ｖｅｃｔｏｒ  ｃａｌｃｕｌａｔｉｏｎ）を行う。
【００２６】
ＦＩＲフィルタ３は公知のＦＩＲフィルタと同様の処理を行う。
【００２７】
バッファ６は重み付け計算処理において遅延を計算するに必要な情報のバッファリングを行う。
【００２８】
マルチコード逆拡散部４は複数のデータチャネルの逆拡散を行う。
【００２９】
ＴＸダイバシティ・プロセッサ５は、ＴＸダイバシティが使用される場合に所定の処理を行う。また、ＴＸダイバシティが使用されない場合は、入力信号をそのまま出力する。
【００３０】
次に、この受信装置のＲＡＫＥ受信装置としての動作の一例を次に示す。
【００３１】
マルチパス逆拡散部１は入力信号１１を入力し、異なるパスタイミングでパイロット信号の逆拡散を行う。その逆拡散された信号はそれぞれのパスのチャネル評価（ｃｈａｎｎｅｌ  ｅｓｔｉｍａｔｉｏｎ）に用いることが可能である。
【００３２】
重み付け計算部２はチャネル評価と形状重みベクター（ｆｏｒｍ  ｗｅｉｇｈｔ  ｖｅｃｔｏｒ）の計算を行う。ここに、形状重みベクターは次式（１）で表示される。
【００３３】
【数１】
0004770467.tif 000002
【００３４】
ここに、ｈ1，ｈ2，．．．．，ｈLの各々は第１〜第Ｌパスの複素チャネル評価（ｃｏｍｐｌｅｘ  ｃｈａｎｎｅｌ  ｅｓｔｉｍａｔｅ）を表している。
【００３５】
ＦＩＲフィルタ３は、次式（２）で示されるチップを生成するために、次式（３）で示す計算を行う。
【００３６】
【数２】
0004770467.tif 000003
【００３７】
【数３】
0004770467.tif 000004
【００３８】
ここに、式（３）のｒ（ｍ）は次式（４）で示される。
【００３９】
【数４】
0004770467.tif 000005
【００４０】
このｒ（ｍ）は受信サンプルのベクターであるため、チップｒ（ｍ）は第１パスのタイミングに相当する。
【００４１】
バッファ６は重み付け計算処理において遅延を計算するに必要な情報のバッファリングを行う。
【００４２】
マルチコード逆拡散部４は複数のデータチャネルの逆拡散を行う。
【００４３】
ＴＸダイバシティ・プロセッサ５は、ＴＸダイバシティが使用される場合に所定の処理を行う。また、ＴＸダイバシティが使用されない場合は、入力信号をそのまま出力する。
【００４４】
したがって、基本的にＣＥ受信装置とＲＡＫＥ受信装置との切り替えは、重み付け計算部２の重み付け計算モードを切り替えることになる。
【００４５】
ＤＳＰコントローラ７はＣＥ受信装置とＲＡＫＥ受信装置との切り替えを以下に示すフローチャートに従って制御する。
【００４６】
図２は本発明に係る受信装置の受信方法の一例を示すフローチャートである。なお、ＤＳＰコントローラ７が以下の処理工程を制御する。
【００４７】
同図を参照すると、まず図示しない外部装置からＮフレームごとにパスタイミング（遅延プロファイル）がＤＳＰコントローラ７に入力される（ステップＳ１）。
【００４８】
ＤＳＰコントローラ７はマルチパス逆拡散部１から入力される信号（逆拡散後のパイロット信号）およびその他の入手し得る信号を用いて、パス強度とパス形状（ｇｅｏｍｅｔｒｙ）をパイロットＳＮＲに基づき評価する（ステップＳ２）。
【００４９】
ＤＳＰコントローラ７は遅延プロファイル（パスの存在する時間範囲）が、ＣＥ受信装置で取り扱うことが可能な時間窓（ｅｆｆｅｃｔｉｖｅ  ｗｉｎｄｏｗ）内に入っているか否かを調べる（ステップＳ３）。
【００５０】
そして、遅延プロファイルが時間窓内に入っていない場合は（ステップＳ３にて“Ｙｅｓ”の場合）はステップＳ４に進み、遅延プロファイルが時間内に入っている場合は（ステップＳ３にて“Ｎｏ”の場合）はステップＳ６に進む。
【００５１】
ステップＳ４では、第１パスから順に各々のパスについて、ＣＥ時間窓が設定される（後述の図３参照）。そして、夫々の時間窓について全ての有効なパスの合計電力（ｔｏｔａｌ  ｐｏｗｅｒ）が計算され、ＣＥに対し最大合計電力を有する時間窓が選択される。
【００５２】
一例として、６個のパスが存在し、それらのパスに対し有効な３つのサブグループ（ｗ１〜ｗ３）が設定されているものとする。
【００５３】
図３は複数のパスと複数のサブグループとの関係の一例を示す模式図である。同図を参照すると、縦方向の矢印は一例として第１パスｐ１〜第６パスｐ６およびその受信レベルを示し、横方向の矢印は一例として第１サブグループｗ１〜第３サブグループｗ３およびその時間範囲を示している。
【００５４】
第１サブグループｗ１は第１パスｐ１〜第４パスｐ４の４個のパスを含んでいる。第２サブグループｗ２は第２パスｐ２〜第５パスｐ５の４個のパスを含んでいる。第３サブグループｗ３は第３パスｐ３〜第６パスｐ６の４個のパスを含んでいる。
【００５５】
また、夫々の時間窓ｗ１〜ｗ３はＣＥ時間窓と同等の最大長（時間範囲）を有している。
【００５６】
付言すれば、図３の第１パスｐ１から第６パスｐ６までの時間範囲はＣＥ時間窓の範囲を超えており、これら全てのパスを従来のＣＥ受信装置では取り扱うことができない。
【００５７】
これに対し、本発明ではＣＥ受信装置で取り扱うことが可能な時間範囲を有する時間窓を一例として３個（ｗ１〜ｗ３）設け、それらが受け持つ時間範囲を少しずつずらせることにより、全てのパスｐ１〜ｐ６の取り扱いを可能としている。
【００５８】
ステップＳ５では、選択された時間窓の合計電力ＺｄＢと全てのパスの合計電力とが比較され（ステップＳ５）、選択された時間窓の合計電力ＺｄＢが全てのパスの合計電力未満の場合は（ステップＳ５にて“Ｎｏ”の場合）、ＲＡＫＥ受信装置を使用する（ステップＳ８）。一方、選択された時間窓の合計電力ＺｄＢが全てのパスの合計電力以上の場合は（ステップＳ５にて“Ｙｅｓ”の場合）、ステップＳ７へ進む。
【００５９】
ステップＳ６では、１パスしか存在しないかどうかを調べ、１パスしか存在しない場合は（ステップＳ６にて“Ｙｅｓ”の場合）、ＲＡＫＥ受信装置を使用する（ステップＳ８）。一方、２パス以上存在する場合は（ステップＳ６にて“Ｎｏ”の場合）、ステップＳ７へ進む。
【００６０】
ステップＳ７ではパイロットＳＮＲがＸｄＢ未満か否かが調べられ、パイロットＳＮＲがＸｄＢ未満の場合は（パスの形状が小さい場合）（ステップＳ７にて“Ｙｅｓ”の場合）、ＲＡＫＥ受信装置を使用する（ステップＳ８）。一方、パイロットＳＮＲがＸｄＢ以上の場合は（パスの形状が大きい場合）（ステップＳ７にて“Ｎｏ”の場合）、ＣＥ受信装置を使用する（ステップＳ９）。
【００６１】
次に、本発明に係る受信方法の制御プログラムについて説明する。図１に示すメモリ８には図２にフローチャートで示す処理工程をコンピュータ（ＤＳＰコントローラ７）に実行させるための制御プログラムが格納されている。
【００６２】
ＤＳＰコントローラ７はメモリ８から制御プログラムを読み出し、その制御プログラムに従って、ＲＡＫＥ受信装置とＣＥ受信装置との切り替えを実行する。その処理内容については既に述べたのでここでの説明は省略する。
【００６３】
以上説明したように、本発明によれば、様々な送信（Ｔｘ）および受信（Ｒｘ）ダイバシティモードにおいて、ＬＭＭＳＥ型チップレベル等化器（ＣＥ）受信装置とＲＡＫＥ受信装置との両者を使用する受信装置を提供することが可能となる。
【００６４】
また、本発明によれば、受信チャネルＳＮＲ、マルチパス・フェージング・チャネルの特性および受信能力等の異なる要因に応じて、最適なＣＥ受信装置とＲＡＫＥ受信装置との切り替えを行うことが可能となる。
【図面の簡単な説明】
【００６５】
【図１】本発明に係る受信装置の一例の構成図である。
【図２】本発明に係る受信装置の受信方法の一例を示すフローチャートである。
【図３】複数のパスと複数のサブグループとの関係の一例を示す模式図である。
【符号の説明】
【００６６】
１  マルチパス逆拡散部
２  重み付け計算部
３  ＦＩＲフィルタ
４  マルチコード逆拡散部
５  ＴＸダイバシティ・プロセッサ
６  入力サンプリングバッファ
７  ＤＳＰコントローラ
８  メモリ
【図１】
0004770467.tif 000006
【図２】
0004770467.tif 000007
【図３】
0004770467.tif 000008